(57)【要約】【課題】表示パネルの基板との組立作業に優れ、フラックスのガス化した溶剤成分が表示パネルに及ぼす影響を低減し、表示不良を防止することができる炊飯器を提供することを目的とする。【解決手段】上方が開口する本体と、開口から本体内に出し入れ自在に収納される内釜と、本体に回動自在に設けられ、内釜上方を覆う蓋体と、蓋体内部に設けられた基板室と、基板室内に配設された操作表示基板と、操作表示基板に取り付けられた表示パネルと、を備え、表示パネルは、保持部材を介して複数の接続用ピンで操作表示基板に半田接続されて取り付けられ、保持部材には、複数の接続用ピンを操作表示基板の接続用穴へ導くガイド部が設けられており、保持部材が操作表示基板に取り付けられた状態で、ガイド部と操作表示基板との間には所定寸法Ｈの空間が形成される。【選択図】図６
2015008794.tif 000002
【特許請求の範囲】
【請求項１】
上方が開口する本体と、
前記開口から前記本体内に出し入れ自在に収納される内釜と、
前記本体に回動自在に設けられ、前記内釜上方を覆う蓋体と、
該蓋体内部に設けられた基板室と、
該基板室内に配設された操作表示基板と、
該操作表示基板に取り付けられた表示パネルと、を備え、
該表示パネルは、保持部材を介して複数の接続用ピンで前記操作表示基板に半田接続されて取り付けられ、
前記保持部材には、前記複数の接続用ピンを前記操作表示基板の接続用穴へ導くガイド部が設けられており、前記保持部材が前記操作表示基板に取り付けられた状態で、前記ガイド部と前記操作表示基板との間には所定寸法Ｈの空間が形成されることを特徴とする炊飯器。
【請求項２】
前記操作表示基板の上方に、前記保持部材が配置されており、
前記保持部材の底面には、下端部が前記操作表示基板の上面に当接し、前記空間を確保する脚部を一体的に形成していることを特徴とする請求項１に記載の炊飯器。
【請求項３】
前記保持部材の前記ガイド部に、前記複数の接続用ピンを各々個別に挿入するガイド穴を設けたことを特徴とする請求項１または請求項２何れかに記載の炊飯器。
【請求項４】
前記保持部材の前記ガイド部近傍に、乾燥剤を保持させる乾燥剤保持部を設け、前記表示パネルの前記接続用ピン近傍に前記乾燥剤を保持するようにしたことを特徴とする請求項１乃至請求項３何れか１項に記載の炊飯器。
【発明の詳細な説明】
【技術分野】
【０００１】
本発明は、主に家庭で使用される炊飯器に関し、詳しくは表示手段を有する炊飯器に関する。
【背景技術】
【０００２】
従来、操作部から入力された内容や、炊飯や保温動作中の状況、経過時間や炊飯完了予定時間等の情報を表示するための表示パネルを有し、その表示パネルを基板上に設けた炊飯器が知られている（例えば、特許文献１、特許文献２参照）。
【先行技術文献】
【特許文献】
【０００３】
【特許文献１】特開２０１２−２２３３７０号公報（第８頁、第９頁、図５）
【特許文献２】特公平５−４５２４９号公報（第２頁、図１）
【発明の概要】
【発明が解決しようとする課題】
【０００４】
表示パネルを基板に取り付けるときは、基板ホルダーを介して基板に取り付ける。表示パネルからは複数の細い接続用ピンが出ており、そのピンを基板に開けられた穴に挿入して半田で接続されるが、基板に開けられた穴は小さく、また接続用ピンは細く柔らかい。
【０００５】
よって、特許文献１に記載の炊飯器の構成では、接続用ピンが自由な状態で接続用ピンの方向がばらついたりし易く、組立作業においてまとめて接続用ピンを穴へ挿入し難いため、組立作業性が悪いという問題があった。
【０００６】
特許文献２に記載の炊飯器の構成では、接続用ピンが基板ホルダーに囲まれているので、接続用ピンの方向がばらつくことがなく、組立作業においてまとめて接続用ピンを穴へ挿入し易くなっている。
【０００７】
しかし、接続用ピンを囲んでいる基板ホルダーが、基板に隙間なく接触した状態で取り付けられているため、半田付けのときに使用されるフラックスが高温となってフラックスに含まれる溶剤成分がガス化し、そのガス化した溶剤成分が放散されずに停滞してしまう。
【０００８】
そのため、接続用ピンを囲んでいる箇所から、ガス化した溶剤成分が表示パネルに流れて影響を及ぼし、表示に滲みやくもりが発生する等、表示不良が発生するという問題があった。
【０００９】
本発明は、かかる課題を解決するために、表示パネルの基板との組立作業に優れ、フラックスのガス化した溶剤成分が表示パネルに及ぼす影響を低減し、表示不良を防止することができる炊飯器を提供することを目的とする。
【課題を解決するための手段】
【００１０】
課題を解決する本発明に係る炊飯器は、上方が開口する本体と、開口から本体内に出し入れ自在に収納される内釜と、本体に回動自在に設けられ、内釜上方を覆う蓋体と、蓋体内部に設けられた基板室と、基板室内に配設された操作表示基板と、操作表示基板に取り付けられた表示パネルと、を備え、表示パネルは、保持部材を介して複数の接続用ピンで操作表示基板に半田接続されて取り付けられ、保持部材には、複数の接続用ピンを操作表示基板の接続用穴へ導くガイド部が設けられており、保持部材が操作表示基板に取り付けられた状態で、ガイド部と操作表示基板との間には所定寸法Ｈの空間が形成されるものである。
【発明の効果】
【００１１】
本発明によれば、表示パネルを操作表示基板に取り付ける保持部材に設けられた、表示パネルの複数の接続用ピンを操作表示基板の接続用穴へ導くガイド部が、保持部材が操作表示基板に取り付けられた状態で、基板との間に所定の寸法で空間を有しているので、優れた表示パネルの操作表示基板との組立作業を確保しながら、フラックスのガス化した溶剤成分が操作表示基板との間の空間によって放散できるので、表示パネルに対する溶剤成分の影響が低減でき、表示不良を防止することができる。
【図面の簡単な説明】
【００１２】
【図１】本発明の実施の形態１に係る炊飯器の概略構成を示す斜視図である。
【図２】本発明の実施の形態１に係る炊飯器の概略構成を示す蓋体を開けた状態の斜視図である。
【図３】本発明の実施の形態１に係る炊飯器の内部構成を示す断面図である。
【図４】本発明の実施の形態１に係る炊飯器の蓋体の断面図である。
【図５】本発明の実施の形態１に係る炊飯器の蓋体の概略分解図である。
【図６】本発明の実施の形態１に係る炊飯器の操作表示基板組立の斜視図である。
【図７】本発明の実施の形態１に係る炊飯器の操作表示基板組立のＡ−Ａ断面図である。
【発明を実施するための形態】
【００１３】
実施の形態１．
（全体の構成）
図１は本発明の実施の形態１に係る炊飯器の概略構成を示す斜視図、図２は本発明の実施の形態１に係る炊飯器の概略構成を示す蓋体を開けた状態の斜視図、図３は本発明の実施の形態１に係る炊飯器の内部構成を示す断面図である。図１から図３により、本発明の実施の形態１に係る炊飯器の概略全体構成を説明する。
【００１４】
図１に示すように、１００は本発明の実施の形態１に係る炊飯器であり、本体１と蓋体２で構成されている。本体１と蓋体２はそれぞれ用途に応じた樹脂素材からなり、例えば樹脂成形により形成されているが、必ずしも樹脂素材に限定されるものではなく、本体１の外装に金属板を加工したものを使用してもよい。
【００１５】
蓋体２には、図１に示すように蓋上面カバー２ａを有しており、蓋体２の前方寄りの上部の蓋上面カバー２ａに、蓋上面カバー２ａの下方で後述する蓋体２の内部空間である基板室２ｄに設けられた、操作結果や動作状況を表示するための表示パネル１５の表示内容を視認できる透過性のある表示窓４が設けられている。
【００１６】
表示窓４の周辺には、炊飯器１００を操作するために、それぞれ炊飯、保温、予約等の機能が与えられた各種の操作キー（詳細図示せず）を有する操作部３が設けられていて、表示パネル１５の表示内容を見ながら操作ができるようになっている。
【００１７】
また、蓋体２の後方寄りには、炊飯時に発生する蒸気を排出する排気口２ｂが設けられている。なお、本発明の実施の形態１では、蒸気を本体外に排出するタイプの炊飯器で説明しているが、蒸気を本体外に排出しないタイプの炊飯器でもよく、その場合では蒸気の排気口は設けられない。
【００１８】
図２に示すように、本体上面前方に係止部５ａが設けられており、蓋体２に設けられた図示しない係合部と係止部５ａが係合して、蓋体２が本体１の上面を閉塞している。蓋体２は、ヒンジ部８に設けられた図３に示す回動軸８ａに、後方の端部が回動自在に軸止されている。
【００１９】
蓋体２は、本体１の前方に設けられた係止解除ボタン５を押込むことにより、図示しない係合部と係止部５ａとの係合が外れ、回動軸８ａを中心にして開放方向への付勢力を蓋体２に与えている図示しない付勢手段により、所定の位置まで回動し開放される。
【００２０】
図２に示すように、本体の中央部には開口部を有しており、被炊飯物である水と米を収容する内釜６が着脱自在に収納される。蓋体２の内釜６と対向する面には内蓋７が設けられ、図３に示すように蓋体２が閉塞された状態で、内釜６の上部周縁に設けられたフランジ６ａと内蓋７の外周に設けられたシールパッキン７ａが全周にわたって接触しシールされる。
【００２１】
内蓋７には、内釜６内の被炊飯物から加熱時に発生するうまみ成分を内釜６内に戻すために設けられたカートリッジ７ｂが着脱自在に装着されている。カートリッジ７ｂには、内釜６内の被炊飯物から加熱時に発生する蒸気を外部に排出する連通口２ｃも設けられており、連通口２ｃは排気口２ｂと連通している。
【００２２】
図３に示すように、本体１内には内釜６を加熱し、収容した米を炊飯するための加熱手段である誘導加熱コイル１０ａ、１０ｂ、１０ｃが設けられている。なお、本実施の形態では加熱手段として誘導加熱コイルを図示したがこれに限定されるものではなく、例えばシーズヒーターのような輻射式の加熱手段でもよい。
【００２３】
内釜６の胴部を取り囲むように、胴ヒーター１３が設けられている。胴ヒーター１３は炊飯時及び保温時に通電され、炊飯及び保温の温度調整に利用される。
【００２４】
加熱コイル１０ａの内側には、内釜６の外側中央部と接触するように温度センサー１１が設けられている。温度センサー１１は炊飯時の内釜６の温度を検出し、炊飯の制御に利用される。
【００２５】
本体１の後（背面）側の空間には制御基板９が設けられている。制御基板９には、図示しない電源回路、マイコン、マイコンの制御に基づいて誘導加熱コイル１０ａ、１０ｂ、１０ｃに高周波電流を供給するインバータ回路、メモリ等が実装されている。メモリには、前述の操作部３の操作キーによる操作に応じてマイコンを動作させる制御プログラム等が格納されている。
【００２６】
炊飯器１００の下部には、樹脂素材からなり樹脂成形により形成された底板２２が設けられており、制御基板９及び誘導加熱コイル１０ａ、１０ｂ、１０ｃを冷却するための冷却ファン１２が取付けられている。また、底板２２には図示しない巻取り式の電源コード１３が設けられている。
【００２７】
冷却ファン１２は制御基板９の下方に配置され、炊飯が開始されると動作して底板２２に設けられた図示しない吸気穴から外気を吸気し、制御基板９及び誘導加熱コイル１０ａ、１０ｂ、１０ｃへ送風、冷却する。
【００２８】
（蓋体の構成）
次に、図４〜図６により蓋体２の構成を説明する。図４は本発明の実施の形態１に係る炊飯器の蓋体の断面図、図５は本発明の実施の形態１に係る炊飯器の蓋体の概略分解図、図６は本発明の実施の形態１に係る炊飯器の操作表示基板組立の斜視図である。
【００２９】
蓋体２は、その前方寄りに基板室２ｄが設けられており、基板室２ｄには操作表示基板１４が収容される。操作表示基板１４には操作部３の操作キーの入力を行うための図示しない９個のスイッチや、表示パネル１５が保持部材１６を介して搭載されている。また、操作表示基板１４は制御基板９と図示しないフラットケーブルで電気的に接続されている。
【００３０】
保持部材１６は耐熱性の樹脂で形成されており、保持部材１６には、図示しない９個のスイッチを押下するための、９個のスイッチと同じ数の操作ボタン１６ａ〜１６ｉが、それぞれ例えばアーム２３ａ、２３ｂのような２本のアームで連結されて一体的に形成されている。
【００３１】
アーム２３ａ、２３ｂは柔軟性があり、操作ボタン１６ａに対する操作部３の操作キーが操作されると、その動きにともないアーム２３ａ、２３ｂが撓んで操作ボタン１６ａを押下し、さらに図示しないスイッチを押下して入力するようになっている。
【００３２】
基板室２ｄの周囲にはシール保持溝２ｅが設けられており、その溝に例えばシリコンゴムのような弾性材で形成された基板室シール１８が挿入されている。操作表示基板１４が基板室２ｄに収容された後、蓋上面カバー２ａを取付けると、基板室シール１８と蓋上面カバー２ａが基板室２ｄの周囲全周にわたって接触し、基板室２ｄへの虫や蒸気等の侵入を防止するようになっている。
【００３３】
さらに表示パネル１５の周囲全周に、保持部材１６の外周と蓋上面カバー２ａで挟持される、例えばシリコンゴムのような弾性材で形成された表示部シール１７が設けられ、表示パネル表面への虫や蒸気等の侵入を防止するようになっている。
【００３４】
（表示パネルの操作表示基板への取付け構成）
次に、図７により表示パネル１５の操作表示基板１４への取付け構成を説明する。図７は本発明の実施の形態１に係る炊飯器の操作表示基板組立のＡ−Ａ断面図である。
【００３５】
図７に示すように、表示パネル１５は保持部材１６を介して操作表示基板１４に取付けられる。保持部材１６は、一体的に設けられた爪形状１６ｎで操作表示基板１４に設けられた図示しない穴に取付けられる。
【００３６】
操作表示基板１４には、表示パネル１５に設けられた複数の接続用ピン１５ａを挿入するための、複数の接続用ピン１５ａと同じ数の接続用穴１４ａが設けられている。接続用ピン１５ａは細く弱いので、少しの外力で簡単に変形してしまう。
【００３７】
そのため、それぞれの接続用ピン１５ａを自由な状態にしておくと、ピンの方向がばらばらになる可能性が高くなり、接続用穴１４ａへの挿入し難く組立作業が極めて悪くなる。よって、複数の接続用穴１４ａに複数の接続用ピン１５ａを挿入するときに、接続用ピン１５を接続用穴１４ａへ導くための構造が必要となる。
【００３８】
保持部材１６には、接続用ピン１５を接続用穴１４ａへ導くためのガイド部１６ｊが設けられている。また、ガイド部１６ｊには複数の接続用ピン１５の数と同じ数で、それぞれが独立して接続用ピン１５を接続用穴１４ａへ導くためのテーパー部１６ｍとガイド穴１６ｋが設けられている。
【００３９】
テーパー部１６ｍはマス状で接続用ピン１５の挿入側が広くなっていてガイド穴１６ｋに向けて徐々に狭くなり、接続用ピン１５はテーパー部１６ｍにガイドされてガイド穴１６ｋに挿入される。
【００４０】
ガイド穴１６ｋは、保持部材１６が操作表示基板１４に取付けられた状態で、接続用穴１４ａと位置が合わせてあるので、ガイド部１６ｊにより接続用ピン１５は簡単に接続用穴１４ａに挿入できるようになる。
【００４１】
保持部材１６の底面には、保持部材１６が操作表示基板１４に取付けられた状態で、そのガイド部１６ｊ下端面と操作表示基板１４の上面とが所定の寸法Ｈで離間するように、一定の高さの脚部（凸部）２４ａ、２４ｂ、２４ｃ、２４ｄ（２４ｃ、２４ｄは図示せず。）が一体的に形成されている。
【００４２】
なお、この実施の形態では保持部材１６の底面に脚部２４ａ、２４ｂ、２４ｃ、２４ｄを一体的に形成するようにしたが、保持部材１６が操作表示基板１４に取付けられた状態で、ガイド部１６ｊ下端面と操作表示基板１４の上面とが所定の寸法Ｈで離間するようにできればよいので、脚部の代わりにスペーサーを設けても良い。
【００４３】
空間２１により、所定の寸法Ｈの高さでガイド部１６ｊと操作表示基板１４が離間しているので、半田付けのときに使用されるフラックスに含まれる溶剤成分が接続用穴１４ａを通過し上昇しても、停滞することなく放散されて表示パネル１５の表示面まで上昇することはない。
【００４４】
また、保持部材１６のガイド部１６ｊの近傍には乾燥剤１９を保持させるための乾燥剤保持部２０が設けられている。乾燥剤保持部２０は、弾性力を有する乾燥剤係止爪２０ａと乾燥剤保持枠２０ｂで構成される。
【００４５】
乾燥剤１９は乾燥剤保持枠２０ｂと操作表示基板１４で挟持されるが、蓋体２の開閉動作によって乾燥剤１９が脱落しないように、乾燥剤係止爪２０ａでさらに固定するようになっている。
【００４６】
乾燥剤１９の挿入は、弾性力を有する乾燥剤係止爪２０ａを押し上げるように、乾燥剤保持枠２０ｂと操作表示基板１４で囲まれる空間に挿入していき、保持部材１６に設けられた図示しない壁面に乾燥剤１９の一面が当接する位置で挿入が完了すると、乾燥剤係止爪２０ａが乾燥剤１９に係り固定される。
【００４７】
乾燥剤１９は、乾燥剤保持枠２０ｂの側枠で左右方向の動きが規制され、保持部材１６に設けられた図示しない壁面と乾燥剤係止爪２０ａで前後方向の動きが規制され、乾燥剤保持枠２０ｂの上枠と操作表示基板１４で上下方向の動きが規制されるので、蓋体２が開閉されて乾燥剤１９に衝撃が加わってもいたり、脱落したりすることはない。
【００４８】
乾燥剤１９は、組立時に基板室２ｄに残った湿気を吸着するためのものである。炊飯器は炊飯動作時に高温となるため、表示パネル１５が収容されている基板室２ｄに湿気が残っていると、高温により表示面に曇りを生じる可能性がある。
【００４９】
また、一度高温となった湿気が冷まされて水分となり、接続用ピン１５に付着して導通不良や腐食を起こす可能性がある。そのため、基板室２ｄに残った湿気が不具合を起こさないよう、乾燥剤１９で吸着させる。
【００５０】
なお、本発明の実施の形態では、乾燥剤１９を接続用ピン１５への影響を最も抑制できるよう、接続用ピン１５の近傍へ配置している。接続用ピン１５の近傍へ乾燥剤１９を配置することで、接続用ピン１５周辺の湿気を効果的に吸着させることができる。
【００５１】
以上のように本発明の実施の形態によれば、表示パネル１５の保持部材１６に接続用ピン１５を接続用穴１４ａへ導くためのガイド部１６ｊが設け、接続用ピン１５はガイド部１６ｊのテーパー部１６ｍにガイドされてガイド穴１６ｋに挿入され、ガイド穴１６ｋは、保持部材１６が操作表示基板１４に取付けられた状態で、接続用穴１４ａと位置が合わせてあるので、ガイド部１６ｊにより接続用ピン１５は簡単に接続用穴１４ａに挿入でき、組立て性が向上する。
【００５２】
また、ガイド部１６ｊは、保持部材１６が操作表示基板１４に取付けられた状態で、所定の寸法Ｈの高さでガイド部１６ｊと操作表示基板１４が離間するように空間２１が設けられているので、向上した組立て性を確保した上で、さらに半田付けのときに使用されるフラックスに含まれる溶剤成分が停滞することなく放散できるので、表示パネルに対する溶剤成分の影響が低減でき、表示不良を防止することができる。
【００５３】
それから、乾燥剤１９を接続用ピン１５の近傍へ配置することで、接続用ピン１５周辺の湿気を効果的に吸着させ、組立時に基板室２ｄに残った湿気による接続用ピン１５の導通不良や腐食を防止することができ、さらに湿気を吸着させることで、炊飯時に高温となっても表示パネル１５の表示面が湿気により曇ることがない。
【符号の説明】
【００５４】
１  本体、２  蓋体、２ａ  蓋上面カバー、２ｂ  排気口、２ｃ  連通口、２ｄ  基板室、２ｅ  シール保持溝、３  操作部、４  表示窓、５  係止解除ボタン、５ａ  係止部、６  内釜、６ａ  フランジ、７  内蓋、７ａ  シールパッキン、７ｂ  カートリッジ、８  ヒンジ部、８ａ  回動軸、９  制御基板、１０ａ  誘導加熱コイル、１０ｂ  誘導加熱コイル、１０ｃ  誘導加熱コイル、１１  温度センサー、１２  冷却ファン、１３  胴ヒーター、１４  操作表示基板、１４ａ  接続用穴、１５  表示パネル、１５ａ  接続用ピン、１６  保持部材、１６ａ  操作ボタン、１６ｂ  操作ボタン、１６ｃ  操作ボタン、１６ｄ  操作ボタン、１６ｅ  操作ボタン、１６ｆ  操作ボタン、１６ｇ  操作ボタン、１６ｈ  操作ボタン、１６ｉ  操作ボタン、１６ｊ  ガイド部、１６ｋ  ガイド穴、１６ｍ  テーパー部、１６ｎ  爪形状、１７  表示部シール、１８  基板室シール、１９  乾燥剤、２０  乾燥剤保持部、２０ａ  乾燥剤係止爪、２０ｂ  乾燥剤保持枠、２１  空間、２２  底板、２３ａ  アーム１、２３ｂ  アーム２、２４ａ  脚部、２４ｂ  脚部、１００  炊飯器。
【図１】
2015008794.tif 000003
【図２】
2015008794.tif 000004
【図３】
2015008794.tif 000005
【図４】
2015008794.tif 000006
【図５】
2015008794.tif 000007
【図６】
2015008794.tif 000008
【図７】
2015008794.tif 000009